(57)【要約】【課題】飛距離の安定性を向上することを可能にし、アプローチショット用として好適なゴルフクラブを提供する。【解決手段】ゴルフクラブシャフトの先端部にゴルフクラブヘッド１を備えたゴルフクラブにおいて、ゴルフクラブヘッド１の質量を１５０ｇ以下にする。ロフト角度αは３０〜５０度にする。【選択図】  図２
2004305452.tif 000002
【特許請求の範囲】
【請求項１】
ゴルフクラブシャフトの先端部にゴルフクラブヘッドを備えたゴルフクラブにおいて、前記ゴルフクラブヘッドの質量が１５０ｇ以下であるゴルフクラブ。
【請求項２】
ロフト角度が３０〜５０度である請求項１に記載のゴルフクラブ。
【請求項３】
前記ゴルフクラブヘッドの重心位置がフェース面に対して垂直方向に投影される点が該フェース面の中心から１５ｍｍ以上離れた位置に存在する請求項１又は請求項２に記載のゴルフクラブ。
【請求項４】
前記フェース面の中心を原点とし、該原点を通りライ角度基準線に平行な軸をＸ軸とし、該原点を通りＸ軸に直角な軸をＹ軸とする座標において、前記ゴルフクラブヘッドの重心位置がフェース面に対して垂直方向に投影される点がＸ軸より上方に存在する請求項１〜３のいずれかに記載のゴルフクラブ。
【請求項５】
前記フェース面の中心を原点とし、該原点を通りライ角度基準線に平行な軸をＸ軸とし、該原点を通りＸ軸に直角な軸をＹ軸とする座標において、前記ゴルフクラブヘッドの重心位置がフェース面に対して垂直方向に投影される点が第１象限内に存在する請求項１〜３のいずれかに記載のゴルフクラブ。
【請求項６】
前記ゴルフクラブヘッドの重心位置がフェース面に対して垂直方向に投影される点が該フェース面から外れた位置に存在する請求項１又は請求項２に記載のゴルフクラブ。
【発明の詳細な説明】
【０００１】
【発明の属する技術分野】
本発明は、アプローチショット用として好適なゴルフクラブに関し、更に詳しくは、飛距離の安定性に優れたゴルフクラブに関する。
【０００２】
【従来の技術】
現在、市販されているゴルフクラブにおいて、短距離を狙うアプローチショット用のゴルフクラブはロフト角度が５０度以上と大きくなっている（例えば、特許文献１参照。）。このようなゴルフクラブは、打球する際にボールがフェース面上を転がり易い上にフェース面の高さが低いため、初心者ではゴルフクラブヘッドがボールの下を潜ったりして、狙った飛距離が得られないという難しさがあった。
【０００３】
これを回避するために、ロフト角度が相対的に小さくフェース面が立ったゴルフクラブ（例えば、５番アイアンや７番アイアン）をアプローチショットに用いたりすることも行われているが、これらゴルフクラブでは距離感が合わず、狙った飛距離をオーバーすることが多かった。
【０００４】
【特許文献】
特開２００２−３３１０５２号公報
【０００５】
【発明が解決しようとする課題】
本発明の目的は、飛距離の安定性を向上することを可能にし、アプローチショット用として好適なゴルフクラブを提供することにある。
【０００６】
【課題を解決するための手段】
上記目的を達成するための本発明のゴルフクラブは、ゴルフクラブシャフトの先端部にゴルフクラブヘッドを備えたゴルフクラブにおいて、前記ゴルフクラブヘッドの質量が１５０ｇ以下であることを特徴とするものである。
【０００７】
このようにゴルフクラブヘッドを従来の一般的なものに比べて大幅に軽くすることにより、飛距離を意図的に抑制することができる。そのため、これをロフト角度が３０〜５０度であるゴルフクラブに適用すれば、アプローチショット用として最適なゴルフクラブを構成することができる。
【０００８】
上記ゴルフクラブにおいて、ゴルフクラブヘッドの重心位置がフェース面に対して垂直方向に投影される点は、該フェース面の中心から１５ｍｍ以上離れた位置に存在することが好ましい。このようにフェース面上におけるゴルフクラブヘッドの重心位置が、最も打球頻度が高いフェース面の中央部に存在しないので、常にスイートエリアから外れた位置で打球している状態となり、打球の強弱の差がはっきり出なくなり、結果的に飛距離のバラツキが小さくなる。
【０００９】
本発明では、フェース面の中心を原点とし、該原点を通りライ角度基準線に平行な軸をＸ軸とし、該原点を通りＸ軸に直角な軸をＹ軸とする座標を想定したとき、ゴルフクラブヘッドの重心位置がフェース面に対して垂直方向に投影される点がＸ軸より上方に存在することが好ましく、更にはゴルフクラブヘッドの重心位置がフェース面に対して垂直方向に投影される点が第１象限内に存在することが好ましい。
【００１０】
また、ゴルフクラブシャフトの先端部にゴルフクラブヘッドを備えたゴルフクラブにおいて、ゴルフクラブヘッドの重心位置がフェース面に対して垂直方向に投影される点が該フェース面から外れた位置に存在するものであっても良い。
【００１１】
【発明の実施の形態】
以下、本発明の構成について添付の図面を参照しながら詳細に説明する。
【００１２】
図１は本発明の実施形態からなるゴルフクラブのゴルフクラブヘッドを示す正面図、図２はその側面図である。本発明のゴルフクラブは、ゴルフクラブシャフトの先端部にゴルフクラブヘッド１を取り付けた構成になっている。ゴルフクラブヘッド１のフェース面２には水平方向に延長する複数本のスコアライン１１が設けられている。
【００１３】
ゴルフクラブヘッド１の質量は、１５０ｇ以下である。このようなゴルフクラブヘッド１は、アルミニウムやチタン等の金属、樹脂、或いは、金属と樹脂との複合材等から構成することができる。ゴルフクラブヘッド１を軽くすることにより、飛距離を抑えることができる。なお、ゴルフクラブヘッド１の質量の下限値は、ボールの質量に鑑みて５０ｇ程度にすれば良い。
【００１４】
ゴルフクラブヘッド１のロフト角度αは、好ましくは３０〜５０度である。このようにロフト角度αを一般的なアプローチショット用のゴルフクラブよりも小さくし、フェース面２を立てることにより、打球時にボールがフェース面２上を転がり難くなり、かつフェース面２の高さを大きくすることができるので、ゴルフクラブヘッド１がボールの下を潜ってしまうことを防止できる。
【００１５】
従って、本発明のゴルフクラブによれば、ショートアイアンではゴルフクラブヘッドがボールの下を潜ったりして飛距離が安定しないゴルファーであっても、アプローチショット等において飛距離を安定させることが可能になる。なお、クラブ長さは３０〜４０インチであることが好ましい。このようなクラブ長さにすることにより、より効果的に飛距離の安定性を向上することが可能になる。
【００１６】
上記ロフト角度αは、図２に示すように、ゴルフクラブヘッド１を基準面Ｂ上にライ角度通りに設置し、そのシャフト軸を含み基準面Ｂに直交する平面Ｐを想定し、該平面Ｐに対して直交する目標方向にフェース面２を向けたとき、平面Ｐとフェース面２とがなす角度である。このロフト角度αは、フェース面２の中心位置で測定されるものである。つまり、フェース面２が平面及び曲面のいずれであっても、その中心位置を接点としてロフト角度αが特定される。
【００１７】
ロフト角度αの測定は、昇峰企業社製の高爾夫球頭測度台、ゴルフギャレーヂ社製のゴルフクラブアングル測定器、ゴルフスミス社製のゴルフクラブゲージ等の測定器により可能である。このような測定器は公知のものであれば良く、本発明において特に限定されるものではない。
【００１８】
上記ゴルフクラブにおいて、ゴルフクラブヘッド１の重心位置Ｇがフェース面２に対して垂直方向に投影される点ｇとは、重心位置Ｇからフェース面２に向けて下ろした垂線とフェース面２とが交わる点である。
【００１９】
上記フェース面２上の点ｇは、図３に示すような重心測定器４１によって求められる。重心測定器４１は、上部に重心測定対象物を支持する支持部４２を備え、この支持部４２が測定対象物を平衡に支持する測定対象物の位置を知ることができるものである。すなわち、重心の測定方法は、図４に示すようにゴルフクラブヘッド１を支持部４２に載せ、手を放しても落ちない平衡な位置を探し出す。つまり、図５（ａ）に示すように、フェース面２と支持部４２の接触部に点ｇを含んでいれば、ゴルフクラブヘッド１を支持部４２に載せて手を放しても落ちないが、図５（ｂ）に示すように、フェース面２と支持部４２の接触部に点ｇを含んでいなければ、ゴルフクラブヘッド１は、支持部４２に載せて手を放すと落ちる。このことを利用して点ｇを求めるものである。
【００２０】
支持部４２は平面または３点以上で支持する形態であることが好ましい。また、支持部４２の面積は、１５ｍｍ２  以下であることが好ましい。また、下限はゴルフクラブヘッド１が支えられる限り特に限定されない。支持部４２の面積は、平面であれば平面部分の面積、３点以上で支持する形態であれば各点を結んだ図形の面積によって示される。支持部４２の面積を上記の範囲に設定することによって、より正確に点ｇを求めることができる。
【００２１】
支持部４２によって支持された平面は水平または概ね水平になることが好ましい。ここで、概ね水平とは、水平面に対する傾きが２度以内、好ましくは１度以内のことである。水平または概ね水平になっているか否かは、例えば図６に示すように、支持部４２に平面板５１を載せて支持させ、平面板５１の上に水準器５２を置き、確認し、調整することができる。上記範囲内に設定することによって、より正確に点ｇを求めることが可能になる。
【００２２】
上述した重心測定器としては、フォーティーン社製のＣ．Ｇマーカー（型式：ＦＧ−１０２ＲＭ）、ゴルフスミス社製のＣＧマーカーが挙げられる。
【００２３】
一方、フェース面２の中心Ｏとは、図１に示すように、フェース面２に設けたスコアライン１１のトウヒール方向の中心を通り、かつスコアライン１１に対して直交する直線Ｍを想定したとき、直線Ｍとフェース面２の上縁とが交わる点Ｕと、直線Ｍとフェース面２の下縁とが交わる点Ｌとで形成される線分ＵＬの中点で示される。
【００２４】
直線Ｍを決定するに際して、フェース面２上に存在するスコアライン１１の中で最も長いスコアラインを基準とする。図７に示すように、不連続な直線の組み合わせからなるスコアライン１１ｂを含む場合、不連続な部分が同一線上にある限り、これを１本のスコアラインと見做し、その長手方向の最も外側の端部をスコアラインの両端部とする。
【００２５】
また、スコアラインによる判別が困難な場合は、図８に示すように、アドレスポジションにて設定した状態で基準面Ｂからの高さＨが１６ｍｍとなる位置と、トウ側に最も張り出した部分の位置との中間点を通り、かつ基準面Ｂに対して直交する直線をＭとする。
【００２６】
上記アドレスポジションとは、図９（ａ）に示すゴルフクラブヘッドの正面図において、ゴルフクラブヘッド１をライ角度通りに設定し、かつ、図９（ｂ）に示すゴルフクラブヘッドの平面図において、シャフト軸Ｓとリーディングエッジ５とが互いに平行になるように設定した場合を指す。ライ角度通りに設置とは、図９（ａ）において、ソール面３のラウンドと基準面Ｂとのなす隙間がトウ側及びヒール側にて略等しくなる状態である。ソール面３のラウンドが不明瞭な場合は、フェース面２に描かれるスコアラインと基準面Ｂとが平行な状態によって設定される。ソール面３のラウンドが不明瞭でかつスコアラインが直線状でない等、基準面Ｂとの平行が判別できない場合は、ライ角度（度）＝（１００−クラブ長さ（インチ））にて設定される。例えば、３６インチのクラブ長さであれば、ライ角度は１００−３６＝６４度になる。
【００２７】
クラブ長さは、社団法人日本ゴルフ用品協会が規準とするトラディショナル・スタンダード測定法により測定される。即ち、ヘッドにおけるソール面とネック部の背部との接点からグリップエンド（キャップの丸みを含まない）までの長さである。測定器としては、株式会社鴨下精衡所製のクラブ・メジャーＩＩが挙げられる。
【００２８】
上記ゴルフクラブにおいて、ゴルフクラブヘッド１の重心位置Ｇがフェース面２に対して垂直方向に投影される点ｇは、フェース面２の中心Ｏから１５ｍｍ以上、好ましくは１８ｍｍ以上、更に好ましくは２１ｍｍ以上離れた位置に存在していると良い。上記範囲内に設定することによって一般的な打点位置からスイートエリアを引き離し、平均的にスイートエリアを外して打球することが可能になり、特にロフト角度が３０〜５０度であるゴルフクラブにおいては、打球されたゴルフボールの落下後の転がりを計算し易くなり、飛距離のバラツキが少なくなる。
【００２９】
図１０に示すように、フェース面２の中心Ｏを原点とし、該原点を通りライ角度基準線に平行な軸をＸ軸とし、該原点を通りＸ軸に直角な軸をＹ軸とする座標において、ゴルフクラブヘッド１の重心位置Ｇがフェース面２に対して垂直方向に投影される点ｇはＸ軸より上方に存在すると良い。ライ角度基準線とは、ゴルフクラブヘッド１をライ角度通りに設置したとき、ゴルフクラブヘッド１の正面視において基準面Ｂと平行な線である。Ｘ軸より上方とは、上記座標においてＹ値が＋となる領域である。このようにゴルフクラブヘッド１の重心位置Ｇがフェース面２に対して垂直方向に投影される点ｇがＸ軸より上方に存在することによって、一般的な打点位置であるフェース下部からスイートエリアをより大きく引き離し、平均的にスイートエリアを外して打球することが可能になり、特にロフト角度が大きいゴルフクラブにおいては、打球されたゴルフボールの落下後の転がりを計算し易くなり、飛距離のバラツキが少なくなる。
【００３０】
上記座標において、ゴルフクラブヘッド１の重心位置Ｇがフェース面２に対して垂直方向に投影される点ｇは第１象限内に存在することが望ましい。第１象限とは、上記座標をおいてＸ値及びＹ値が共に＋となる領域である。このようにゴルフクラブヘッド１の重心位置Ｇがフェース面２に対して垂直方向に投影される点ｇが第１象限内に存在することによって、一般的な打点位置であるフェース下部からスイートエリアをより大きく引き離し、平均的にスイートエリアを外して打球することが可能になり、特にロフト角度が大きいゴルフクラブにおいては、打球されたゴルフボールの落下後の転がりを計算し易くなり、飛距離のバラツキが少なくなる。
【００３１】
上記ゴルフクラブにおいて、ゴルフクラブヘッド１の重心位置Ｇがフェース面２に対して垂直方向に投影される点ｇはフェース面２から外れた位置に存在していても良い。つまり、ゴルフクラブヘッド１の重心位置Ｇがフェース面２に対して垂直方向に投影される点ｇがフェース面２上に存在しない状態である。このようなゴルフクラブであっても、上記と同様に、平均的にスイートエリアを外して打球することが可能になり、特にロフト角度が大きいゴルフクラブにおいては、打球されたゴルフボールの落下後の転がりを計算し易くなり、飛距離のバラツキが少なくなる。
【００３２】
【実施例】
ゴルフクラブシャフトの先端部にゴルフクラブヘッドを備えたゴルフクラブにおいて、ゴルフクラブヘッドの質量（表中、ヘッド質量と称す）、ゴルフクラブヘッドの重心位置がフェース面に対して垂直方向に投影される点（表中、重心位置と称す）、ロフト角度、クラブ長さを表１のように種々異ならせた実施例１〜６及び比較例１をそれぞれ製作した。
【００３３】
ゴルフクラブヘッドの重心位置がフェース面に対して垂直方向に投影される点については、フェース面の中心からの距離を示し、この距離を示していないものは上記投影点がフェース面上に存在しないことを意味する。また、重心位置が存在する象限を併せて示した。この重心位置が存在する象限は、フェース面の中心から外れた重心位置が第１〜４象限のいずれに存在するのかを示すものである。つまり、比較例１及び実施例１は重心位置がフェース面の中心に存在する例であり、実施例６は重心位置がフェース面から外れた位置に存在する例である。
【００３４】
上述の各ゴルフクラブについて、１０人のゴルファーにより試打を行い、飛距離及び飛距離のバラツキを評価し、その結果を表１に示した。飛距離については、各ゴルファーが１０球ずつ打球したときの平均飛距離を求め、更に１０人のゴルファーの平均飛距離の平均値を求め、これを飛距離とした。飛距離のバラツキについては、各ゴルファーが１０球ずつ打球したときの最大飛距離と最小飛距離との差を求め、更に１０人のゴルファーの差の平均値を求め、これを飛距離のバラツキとした。そして、各ゴルフクラブについて、上記飛距離を上記飛距離のバラツキで除した数値を求めた。この数値が大きいほど飛距離が相対的に安定したゴルフクラブであることを意味する。また、上記数値について、比較例１を１００とする指数を併せて示した。
【００３５】
【表１】
2004305452.tif 000003
表１から判るように、実施例１〜６のゴルフクラブは、いずれも飛距離の安定性が優れていた。
【００３６】
【発明の効果】
以上説明したように本発明によれば、ゴルフクラブシャフトの先端部にゴルフクラブヘッドを備えたゴルフクラブにおいて、ゴルフクラブヘッドの質量を１５０ｇ以下にしたから、飛距離を意図的に抑制することができる。そのため、これをロフト角度が３０〜５０度であるゴルフクラブに適用すれば、アプローチショット用として最適なゴルフクラブを構成し、飛距離の安定性を向上することができる。
【図面の簡単な説明】
【図１】本発明の実施形態からなるゴルフクラブのゴルフクラブヘッドを示す正面図である。
【図２】本発明の実施形態からなるゴルフクラブのゴルフクラブヘッドを示す側面図である。
【図３】ゴルフクラブヘッドの重心測定器を示す斜視図である。
【図４】ゴルフクラブヘッドの重心測定方法を示し、重心測定器にゴルフクラブヘッドを載せた状態の側面図である。
【図５】ゴルフクラブヘッドの重心測定方法を示し、（ａ）はゴルフクラブヘッドを重心測定器に対して平衡となる位置に載せた状態の側面図、（ｂ）はゴルフクラブヘッドを重心測定器に対して平衡とならない位置に載せた状態の側面図である。
【図６】重心測定器の支持部の水平度を確認する方法を示し、水準器を重心測定器に載せた状態の側面図である。
【図７】フェース面の中心を通る直線を不連続なスコアラインに基づいて特定する方法を説明するためのゴルフクラブヘッドの正面図である。
【図８】フェース面の中心を通る直線をゴルフクラブヘッド形状に基づいて特定する方法を説明するためのゴルフクラブヘッドの正面図である。
【図９】アドレスポジションを説明するための図であり、（ａ）はゴルフクラブヘッドの正面図、（ｂ）はゴルフクラブヘッドの平面図である。
【図１０】フェース面の中心を原点とし、該原点を通りライ角度基準線に平行な軸をＸ軸とし、該原点を通りＸ軸に直角な軸をＹ軸とする座標を説明するためのゴルフクラブヘッドの正面図である。
【符号の説明】
１  ゴルフクラブヘッド
２  フェース面
１１  スコアライン
ｇ  重心位置のフェース面上の投影点
Ｇ  重心位置
Ｏ  フェース面の中心
α  ロフト角度
【図１】
2004305452.tif 000004
【図２】
2004305452.tif 000005
【図３】
2004305452.tif 000006
【図４】
2004305452.tif 000007
【図５】
2004305452.tif 000008
【図６】
2004305452.tif 000009
【図７】
2004305452.tif 000010
【図８】
2004305452.tif 000011
【図９】
2004305452.tif 000012
【図１０】
2004305452.tif 000013